(57)【要約】【課題】持ち運びが便利で、建物の屋上の縦壁面と床面との間のコーナー部あるいは縦壁面と縦壁面との間のコーナー部において防水シートのラップ部分を形成する作業において、上側に位置することになる防水シートの端縁を、片手の作業で効率よく裁断する。【解決手段】上部に握り部を有し下部に丸刃２を回転可能に支持する本体３と、本体３の側部に側方に突出するようにかつ取り外し可能に設けられ本体３の長手方向に沿って一定の突出幅を有するガイド４と、本体３の下方に設けられ本体３の下端との間に、防水シートの端縁を差し込み可能である空間部Ｓ１，Ｓ２を形成する下敷き５とを備える。空間部Ｓ１，Ｓ２内に、丸刃２の切り刃部分が、前記防水シートの端縁を裁断可能に位置している。【選択図】図１
2019060206.tif 000002
【特許請求の範囲】
【請求項１】
建物の屋上の縦壁面と床面との間のコーナー部あるいは縦壁面と縦壁面との間のコーナー部において防水シートをラップさせて敷設する場合に、上側に位置することになる防水シートの端縁を刃物にて裁断して、前記ラップさせる部分の幅を一定幅とするのに用いられるラップジョイントカッターであって、
上部に握り部を有し前記刃物を支持する本体と、
前記本体の側部に側方に突出するようにかつ取り外し可能に設けられ前記本体の長手方向に沿って一定の突出幅を有するガイドと、
前記本体の下方に設けられ前記本体の下端との間に、前記防水シートの端縁を差し込み可能である空間部を形成する下敷きとを備え、
前記空間部内に、前記刃物の切り刃部分が、前記防水シートの端縁を裁断可能に位置していることを特徴とするラップジョイントカッター。
【請求項２】
前記本体に上端部が取り付けられ下端部が前記本体の下方に突出する取付板をさらに備え、
前記取付板の下端部に、前記下敷きが取り付けられ、
前記取付板を挟んで、前記本体の長手方向の両側に前記空間部がそれぞれ形成されている、請求項１記載のラップジョイントカッター。
【請求項３】
前記下敷きは、平行に並んで配置される１対の下敷き要素を有し、
前記１対の下敷き要素は、前記取付板の幅方向両側に配置され、前記１対の下敷き要素の一方と前記取付板との間に、前記刃物の切り刃部分が位置する隙間が形成されている、請求項１又は２記載のラップジョイントカッター。
【請求項４】
前記刃物は、前記本体に回転可能に設けられ外周縁が切り刃部分となっている丸刃である、請求項１〜３のいずれか１項に記載のラップジョイントカッター。
【請求項５】
前記刃物は、１対の平刃で、各前記平刃の切り刃部分が、前記防水シートの端縁の差し込み側に向けられている、請求項１〜３のいずれか１項に記載のラップジョイントカッター。
【請求項６】
建物の屋上の縦壁面から床面にかけて防水シートを敷設する場合に、前記床面側の防水シートと前記縦壁面側の防水シートとのラップ部分において、上側に位置することになる前記縦壁面側の防水シートの端縁を刃物にて裁断して、前記ラップ部分の幅を一定幅とするのに用いられるラップジョイントカッターであって、
上部に握り部を有し前記刃物を支持する本体と、
前記本体の側部に側方に突出するようにかつ取り外し可能に設けられ前記本体の長手方向に沿って一定幅の突出部分を有するガイドとを備え、
前記刃物の切り刃部分が、前記本体の下方に前記防水シートの端縁を裁断可能なるように突出して設けられ、
前記刃物は、先端部分がフック形状で、フック内側部分のみが前記切り刃部分となっているものである、ことを特徴とするラップジョイントカッター。
【請求項７】
前記ガイドが設けられている前記本体の側部に、裁断時に前記防水シートを押さえる１対の押さえローラが回転可能に設けられている、請求項１〜６のいずれか１項に記載のラップジョイントカッター。
【請求項８】
前記押さえローラは、前記ガイドを挟んで設けられている、請求項７記載のラップジョイントカッター。
【請求項９】
前記ガイドが設けられている、前記本体の側部とは反対側の側部に、裁断時に推進を補助する１対の推進補助ローラが回転可能に設けられ、
前記推進補助ローラは、前記本体側になるほど径が小さくなるテーパーが付けられている、請求項１〜８のいずれか１項に記載のラップジョイントカッター。
【請求項１０】
前記本体には、上方に延びる握り棒が設けられている、請求項１〜９のいずれか１項に記載のラップジョイントカッター。
【発明の詳細な説明】
【技術分野】
【０００１】
本発明は、ラップジョイントカッターに関する。
【背景技術】
【０００２】
建物の屋上に防水シート（ゴム系、塩化ビニル系などの帯状防水シート）を敷設するには、例えば図１５に示すように、屋上の床面１０１上に接着剤を塗布し、その上に防水シート１０２を接着することで、床面１０１全面にわたって設けられる。そのような工法においては、建物の屋上の縦壁面と床面との間のコーナー部（角部）では、床面１０１上の防水シート１０２は、縦壁部１０３（パラペット）の内向き縦壁面に接着される防水シート１０４の下端縁１０４ａの一定幅（４０ｍｍ以上）を、前記縦壁面の直下となる床面１０１上に敷設した防水シート１０２上側に重ね合わせて、シートラップ部分を形成するように溶着施工あるいは融着施工する必要がある。
【０００３】
そのために、縦壁部１０３の縦壁面から、床面１０１に接続される隅部を経て、床面１０１に敷設した床面側の防水シート１０２上面に重なるよう垂れ下げた縦壁面側の防水シート１０４の下端縁１０４ａを、縦壁部１０３の縦壁面の下端隅から前記一定幅に揃えるよう、敷設現場において前記縦壁面の下端隅に前記一定幅に対応する幅の定規２０１の一側縁を押し当てると共に、床面１０１上の防水シート１０２をカッターナイフ２０２で損傷しないように、前記縦壁面の防水シート１０４の下側に下敷き２０３（ステンレス板などの金属板）を配置した状態で、定規２０１の他側縁にカッターナイフ２０２を当て、縦壁面の防水シート１０４の肉厚方向に切り込み、床面１０１側の防水シート１０２を保護しながら裁断するようになっている。
【０００４】
このような防水シート１０４の端縁の裁断作業は、カッターナイフ２０２のほか、定規２０１や下敷き２０３を用い、それらを移動させながら行う作業であるので、面倒な作業となっている。なお、施工方法としては、前述したほか、アンカー固定方法（機械的固定方法）も知られている。
【０００５】
そこで、定規本体の一端縁を直線状の位置決め縁に形成し、前記定規本体の中央適所に、前記位置決め縁に平行な所定長さの案内スリットを肉厚方向に貫通すると共に、前記位置決め縁に隣接する左右縁に左右把持片を上向き突設した上、前記位置決め縁とは反対側となる基端からは、所定上下寸法の上下連結部を下向き延伸し、同上下連結部下端から、前記案内スリット下を超え、かつ前記位置決め縁直下に達しない前後長寸法であって定規本体の左右巾に等しいか、わずか広いかの何れか一方の左右巾寸法に設定したベース板部を、当該定規本体に平行姿勢とするよう延伸、一体化してなるものとしたシート裁断用定規が提案されている（例えば、特許文献１参照）。
【０００６】
この定規を用いれば、縦壁面に貼着した防水シートの下端縁部分を、屋上床面に貼着した防水シート上に縦断面Ｌ字状に垂れ下げた上、前記縦壁面側の防水シートの下端縁部分を、前記定規のベース板部と定規本体との間に挟み込み、直線状の位置決め縁を、防水シートを挟んで内側縦壁面に当接させると共に、選択した１つの案内スリットに、裁断工具であるカッター刃を上方から下向きに差し込み、前記縦壁面側の防水シートの厚み方向に貫通し、ベース板部上面に達しさせた上、カッター刃を案内スリットに固定したまま左右把持片を把持し、直線状位置決め縁を内側縦壁面に沿って水平方向何れか一方端側から他方端側に滑らすように移動し、前記縦壁面側の防水シートの下端縁部分を、一定幅（一定のジョイント幅）だけ床面側の防水シート上に重なり合うよう裁断することができる。よって、裁断後、前記床面側の防水シート端縁部上に前記縦壁面側の防水シート下端を重ね合わせ、接着剤で接着して、ラップ部分を形成することができる。
【先行技術文献】
【特許文献】
【０００７】
【特許文献１】特開２０１２−２２５０５２号公報（００２９，図６）
【発明の概要】
【発明が解決しようとする課題】
【０００８】
特許文献１記載の定規を用いる場合には、カッター刃を案内スリットに差し込んだ状態を一方の手で固定したまま、左右把持片を他方の手で把持しながら、直線状位置決め縁を内側縦壁面に沿って水平方向何れか一方端側から他方端側に滑らすように移動させるという具合に作業者が前屈みで、両手を用いて作業するので、作業効率が悪い。また、ガイド機能を有する位置決め縁がベース板部の一側縁となっている構造であるので、カッター刃を差し込む案内スリットの位置を変更することができない。複数の案内スリットを並列に設ける構造にすると、シート裁断用定規の幅を狭く、小さくすることができず、持ち運びに不便である。
【０００９】
本発明は、持ち運びが便利で、建物の屋上の縦壁面と床面との間のコーナー部あるいは縦壁面と縦壁面との間のコーナー部において防水シートのラップ部分を形成する作業において、上側に位置することになる防水シートの端縁を、片手の作業で効率よく裁断することができるラップジョイントカッターを提供する。
【課題を解決するための手段】
【００１０】
請求項１の発明は、建物の屋上の縦壁面と床面との間のコーナー部あるいは縦壁面と縦壁面との間のコーナー部において防水シートをラップさせて敷設する場合に、上側に位置することになる防水シートの端縁を刃物にて裁断して、前記ラップさせる部分の幅を一定幅とするのに用いられるラップジョイントカッターであって、上部に握り部を有し前記刃物を支持する本体と、前記本体の側部に側方に突出するようにかつ取り外し可能に設けられ前記本体の長手方向に沿って一定幅の突出部分を有するガイドと、前記本体の下方に設けられ前記本体の下端との間に、前記防水シートの端縁を差し込み可能である空間部を形成する下敷きとを備え、前記空間部内に、前記刃物の切り刃部分が、前記防水シートの端縁を裁断可能に位置していることを特徴とする。
【００１１】
このようにすれば、裁断作業時に、ラップ部分の上側に位置することになる防水シートの下端縁を下敷き上側の空間部を通過させることで、ラップ部分の下側に位置することになる防水シートを損傷することなく、前記上側に位置することになる防水シートの下端縁を一定幅に裁断することができる。よって、前記上側に位置することになる防水シートの端縁を、片手の作業で効率よく裁断することができる。そして、前記下側に位置することになる防水シート上に一定幅の、前記上側に位置することになる防水シートを重ね合わせて接着することで、一定幅のラップ部分を形成することができる。ガイドは取り外し可能に設けられており、ガイドを取り外せば、コンパクトになり、持ち運びに便利である。
【００１２】
請求項２に記載のように、前記本体に上端部が取り付けられ下端部が前記本体の下方に突出する取付板をさらに備え、前記取付板の下端部に、前記下敷きが取り付けられ、前記取付板を挟んで、前記本体の長手方向の両側に前記空間部がそれぞれ形成されている、ことが望ましい。
【００１３】
このようにすれば、本体の下方に、下敷きを簡単に設けることができる。
【００１４】
請求項３に記載のように、前記下敷きは、平行に並んで配置される１対の下敷き要素を有し、前記１対の下敷き要素は、前記取付板の幅方向両側に配置され、前記１対の下敷き要素の一方と前記取付板との間に、前記刃物の切り刃部分が位置する隙間が形成されている、ことが望ましい。
【００１５】
このようにすれば、下敷き要素の間に、刃物の切り刃部分が配置されることで、前記下敷きの上側の空間部に、裁断のための切り刃部分を簡単に設けることができる。
【００１６】
請求項４に記載のように、前記刃物は、前記本体に回転可能に設けられた丸刃としたり、請求項５に記載のように、前記刃物は、１対の平刃で、各前記平刃の切り刃部分が、前記防水シートの端縁の差し込み側に向けられている、ことが望ましい。
【００１７】
このようにすれば、本体の長手方向に沿って、いずれの方向に相対移動させても、縦壁面側の防水シートの下端縁を、ラップ部分を形成するのに必要である一定幅となるように裁断することができる。
【００１８】
請求項６の発明は、建物の屋上の縦壁面と床面との間のコーナー部あるいは縦壁面と縦壁面との間のコーナー部において防水シートをラップさせて敷設する場合に、上側に位置することになる防水シートの端縁を刃物にて裁断して、前記ラップさせる部分の幅を一定幅とするのに用いられるラップジョイントカッターであって、上部に握り部を有し前記刃物を支持する本体と、前記本体の側部に側方に突出するようにかつ取り外し可能に設けられ前記本体の長手方向に沿って一定の突出幅を有するガイドとを備え、前記刃物の切り刃部分が、前記本体の下方に前記防水シートの端縁を裁断可能なるように突出して設けられ、前記刃物は、先端部分がフック形状で、フック内側部分のみが前記切り刃部分となっているものである、ことを特徴とする。
【００１９】
このようにすれば、裁断作業時に、上側に位置することになる防水シートの下端縁を、刃物の切り刃部分の上側の空間部を通過させることで、下側に位置することになる防水シートを損傷することなく、前記上側に位置することになる防水シートの下端縁を一定幅に裁断することができる。
【００２０】
請求項７に記載のように、前記ガイドが設けられている前記本体の側部に、裁断時に前記防水シートを押さえる１対の押さえローラが回転可能に設けられている、ことが望ましい。
【００２１】
このようにすれば、押さえローラによって、裁断時における防水シートの押さえ込みが確実となる。
【００２２】
この場合、請求項８に記載のように、前記押さえローラは、前記ガイドを挟んで設けられている、ことが望ましい。
【００２３】
このようにすれば、ガイドと干渉することなく、押さえローラを設けることができる。
【００２４】
また、請求項９に記載のように、前記ガイドが設けられている、前記本体の側部とは反対側の側部に、裁断時に推進を補助する１対の推進補助ローラが回転可能に設けられ、前記推進補助ローラは、前記本体側になるほど径が小さくなるテーパーが付けられている、ことが望ましい。
【００２５】
このようにすれば、推進補助ローラによって縦壁面に沿って離れずに移動させることができる。
【００２６】
請求項１０に記載のように、前記本体には、上方に延びる握り棒が設けられている、ことが望ましい。
【００２７】
このようにすれば、作業者が無理な姿勢をとることなく、作業を行うことができる。
【発明の効果】
【００２８】
本発明は、建物の屋上の縦壁面と床面との間のコーナー部あるいは縦壁面と縦壁面との間のコーナー部において防水シートをラップさせて敷設する場合に、上側に位置することになる防水シートの端縁を刃物にて裁断して、前記ラップさせる部分を形成する作業において、前記上側に位置することになる防水シートの下端縁を下敷き上側の空間部あるいは刃物の切り刃部分の上側の空間部に位置させ、それらを相対移動させることで、下側に位置することになる防水シートを損傷することなく、前記上側に位置することになる防水シートの端縁を、ラップ部分を形成するのに必要である一定幅を残すように裁断することができる。また、ガイドは取り外し可能に設けられており、ガイドを取り外せば、コンパクトになり、持ち運びに便利である。
【図面の簡単な説明】
【００２９】
【図１】本発明に係るラップジョイントカッターの一実施の形態を示す正面図である。
【図２】同背面図である。
【図３】図１のＡ−Ａ線における断面図である。
【図４】別の実施の形態を示す図１と同様の図である。
【図５】同背面図である。
【図６】図４のＢ−Ｂ線における断面図である。
【図７】さらに別の実施の形態を示す正面図である。
【図８】同背面図である。
【図９】図７のＣ−Ｃ線における断面図である。
【図１０】他の実施の形態を示す図１と同様の図である。
【図１１】同背面図である。
【図１２】図１０のＤ−Ｄ線における断面図である。
【図１３】握り棒を設けた場合の説明図である。
【図１４】別の握り棒を設けた場合の説明図である。
【図１５】従来の施工方法の説明図である。
【発明を実施するための形態】
【００３０】
以下、本発明の実施の形態を図面に沿って説明する。
【００３１】
図１は本発明に係るラップジョイントカッターの一実施の形態を示す正面図、図２は同背面図、図３は図１のＡ−Ａ線における断面図である。
【００３２】
１はラップジョイントカッターであって、防水シート裁断のための刃物としての丸刃２を有し、建物の屋上に防水シートを敷設する場合に、床面側の防水シート１０１と縦壁面側の防水シート１０４とのラップ部分を形成する作業において、上側に位置することになる縦壁面側の防水シート１０４の下端縁を、ラップ部分に必要である一定幅（４０ｍｍ以上）となるように裁断するのに主として用いるものである。この裁断は、丸刃２（刃物）にて行われる。
【００３３】
ラップジョイントカッター１は、縦長板状の本体３を有する。本体３は、下側部分３ａと、下側部分３ａより厚肉の上側部分３ｂとを有し、上側部分３ｂの下側であって厚さ方向中央に下側部分３ａが結合されている。この結合によって両部分３ａ，３ｂの間に貫通穴３ｃが形成され、この貫通穴３ｃに作業者が指を差し込むことで、上側部分３ｂを握り部としてしっかりと握ることができるようになっている。この本体３の下部である下側部分３ａであって本体長手方向中央位置に、丸刃２が回転可能に取り付けられている。つまり、下部に丸刃２（刃物）を支持する本体３の上部に、裁断時に作業者が把持するための握り部（上側部分３ｂ）が設けられている。
【００３４】
本体３の側部の一方には、側方に突出するようにガイド４が設けられている。ガイド４は、断面Ｌ字形状で、本体３に取り付けられる鉛直部４ａと、鉛直部４ａの下縁より側方に突出する水平部４ｂとを有する。水平部４ｂは、一定幅を有し、前述した裁断作業において一定幅の裁断を可能とする定規として機能させることができる。つまり、ガイド４は、ラップ部分に必要である一定幅を確保するために、本体３の長手方向に沿って一定幅の突出部分（水平部４ｂ）を有することになる。ガイド４は本体３に取り外し可能に取り付けられているので、持ち運ぶ際には取り外すことができ、持ち運ぶ際に便利である。なお、ガイド４の取付手段は、ねじ止めに限らず、嵌め込みなども利用することができ、取り外し可能な取付手段であればよい。また、ガイドの断面形状も、断面Ｌ字形状に制限されるものではなく、一定幅の裁断を可能とするものであればよく、例えば断面Ｕ字形状とすることもできる。さらに、持ち運びなどの際に収納が容易となるように，ガイド４は、長手方向において複数個に分割される構造とすることもできる。
【００３５】
本体３の下方には、本体３から一定距離だけ離れて、本体３（下側部分３ａ）の下端縁との間に２つの空間部Ｓ１，Ｓ２を形成する下敷き５が設けられている。そして、空間部Ｓ１，Ｓ２内には、丸刃２の一部（外周縁の切り刃部分）が空間部Ｓ１，Ｓ２の開放側に臨むように位置し、空間部Ｓ１，Ｓ２の何れか一方の開放側を通じて、例えば縦壁面側の防水シート１０４の端縁が差し込み可能であり、丸刃２によって、例えば縦壁面側の防水シート１０４の端縁が裁断可能な状態になっている。これにより、空間部Ｓ１，Ｓ２の何れか一方の開放側を通じて、防水シート１０４の端縁を差し込み、防水シート１０４の端縁に対しラップジョイントカッター１を相対的に移動させれば、防水シート１０４を丸刃２によって裁断することができる。
【００３６】
また、本体３（下側部分３ａ）には、本体長手方向略中央位置に、一部（下端部）が下方に突出するように取付板６が設けられ、この取付板６の下端部に、下敷き５が設けられている。これにより、本体３と下敷き５との間に、取付板６を挟んで両側に、空間部Ｓ１，Ｓ２が形成されている。なお、取付板７は、丸刃２の回転を損なわないように本体３に取り付けられているのはいうまでもない。
【００３７】
下敷き５は、平行に並んで隙間を形成するように配置される、１対の、角棒状の下敷き要素５ａ，５ａを有する。下敷き要素５ａ，５ａは、取付板７の幅方向両側に配置され、１対の下敷き要素５ａの一方と取付板７との間の隙間に、丸刃２の切り刃部分が位置している。
下敷き要素５ａ，５ａの間の隙間には、丸刃２の一部が位置し、空間部Ｓ１，Ｓ２内で、防水シート１０４の端縁を相対的に移動させるだけで、防水シート１０４が丸刃２によって裁断される。なお、下敷き要素５ａ，５ａの下面（平面）は、防水シート１０４の上面上を滑りやすいように加工することもできる。
裁断時における防水シート１０４の押さえが確実となるように、本体３の側部の一方（ガイド４が設けられている側の側部）には、裁断時に防水シートを押さえる１対の押さえローラ１０Ａ，１０Ｂが、本体長手方向において間隔をあけて、回転軸１０Ａａ，１０Ｂａ回りに回転可能に設けられている。これらの押さえローラ１０Ａ，１０Ｂは、ガイド４を挟んで設けられている。つまり、ガイド４の両側に押さえローラ１０Ａ，１０Ｂが配置されている。なお、回転軸１０Ａａ，１０Ｂａは、具体的に図示していないが、周知の取付手段（例えばねじ止め、嵌め込み）で本体３に取り外し可能に取り付けられている。よって、作業終了後には、押さえローラ１０Ａ，１０Ｂも回転軸１０Ａａ，１０Ｂａと共に本体３から取り外せるので、持ち運びの有利さを損なうことはない。
【００３８】
そして、ガイド４の幅は４０ｍｍ〜５０ｍｍの範囲で適宜変更して用いられるので、それ応じて押さえローラ１０Ａ，１０Ｂの回転軸１０Ａａ，１０Ｂａの長さも変更して用いるのはもちろんである。
【００３９】
また、本体３の側部の他方（ガイド４が設けられている側部とは反対側の側部）に、裁断時に、本体３が、左右に振れることなく直進するのを補助する１対の推進補助ローラ１１Ａ，１１Ｂが、押さえローラ１０Ａ，１０Ｂに対応して、回転軸１１Ａａ，１１Ｂａ回りに回転可能に設けられている。なお、回転軸１１Ａａ，１１Ｂａも、具体的に図示していないが、周知の取付手段（例えばねじ止め、嵌め込み）で本体３に取り外し可能に取り付けられている。
【００４０】
推進補助ローラ１１Ａ，１１Ｂには、本体３側に近くなるほど径が小さくなるテーパーが付けられ、裁断作業時に縦壁部１０３の縦壁面に沿って離れずに移動させることができるようになっている。なお、推進補助ローラ１１Ａ，１１Ｂも、回転軸１１Ａａ，１１Ｂａと共に本体３から取り外せるので、持ち運びの有利さを損なうことはない。
【００４１】
よって、ラップジョイントカッター１を用いて裁断作業を行う場合には、ガイド４の水平部４ｂの外縁を縦壁面側の防水シート１０４に対し押し当て、例えば空間部Ｓ１に縦壁面側の防水シート１０４の下端縁を差し込み、その状態でラップジョイントカッター１の下敷き５を、床面側の防水シート１０２上を滑らすことで、縦壁面側の防水シート１０４の下端縁を、ラップ部分に必要である一定幅（４０ｍｍ以上）となるように裁断することができる。
【００４２】
この裁断作業は、作業者が片手で握り部３ａを把持することでできるので、裁断作業が簡単になる。また、この作業時には、押さえローラ１０Ａ，１０Ｂが防水シート１０４を押さえており、推進補助ローラ１１Ａ，１１Ｂによって縦壁部１０３に沿って離れずに移動させることができるので、ラップジョイントカッター１を移動させるだけで、スムーズに裁断を行うことができ、作業性もよい。
【００４３】
また、作業終了後の持ち運びの際には、ガイド４や、ローラ１０Ａ，１０Ｂ，１１Ａ，１１Ｂ（回転軸１０Ａａ，１０Ｂａ，１１Ａａ，１１Ｂａを含む）を、本体３から取り外し、分解することができるので、持ち運びに便利である。
【００４４】
さらに、丸刃２は、左右に位置する下側部分３ｂと取付板６との間や下敷き要素５ａ，５ａの間に設けられ、空間部Ｓ１，Ｓ２を除き、露出しないようにしているので、安全性が確保される。
【００４５】
本発明は、前述したほか、次のように変更して実施することも可能である。
【００４６】
(i)刃物としては、丸刃２に代えて、平刃を用いることもできるのはもちろんである。その場合には、丸刃の場合と同様に、切れ味が低下した場合に交換できるように、１つ又は２の平刃(替え刃)を交換可能に本体に設けることができる。その場合、図４〜図６に示すように、２つの平刃２Ａａ，２Ａｂ（折る刃式カッターナイフの替え刃）を用い、それらの切り刃部分２Ａａａ，２Ａｂａが反対向きで、いずれも外側に向けられるように設ければ、丸刃２の場合と同様に、いずれの方向でも裁断することができるようにすることができる。これにより、右利きの人でも左利きの人でも、スムーズに裁断することが可能となる。使用している先端（下端）の切り刃部分２Ａａａ，２Ａｂａの切れ味が悪くなると、周知のカッターナイフの場合と同様に、使用している切り刃部分２Ａａａ，２Ａｂａを折って除き、それに続く新しい切り刃部分を使用できるようにすることができる。この場合、左右の本体要素３Ａａ，３Ａｂを結合して本体３Ａを形成する。そして、本体要素３Ａａ，３Ａｂの結合によりそれらの間に通路状の、１対の刃物収納部３Ａｃ，３Ａｄが形成され、刃物収納部３Ａｃ，３Ａｄに平刃２Ａａ，２Ａｂがそれぞれスライド可能に設けるようにすればよい。また、平刃２Ａａ，２Ａｂの上端部付近に係合するピン８Ａ，８Ｂによって平刃２Ａａ，２Ａｂが下方に押されるようにし、刃物収納部３Ａｃ，３Ａｄの長手方向下方に平刃２Ａａ，２Ａｂを移動させ、交換を必要とする切り刃部分２Ａａａ，２Ａｂａを折って取り除けば、それに続く新しい切り刃部分２Ａａａ，２Ａｂａを使用できる構造とすることができる。なお、ピン８Ａ，８Ｂは刃物収納部３Ａｃ，３Ａｄの長手方向に沿って延びるガイド穴９Ａ，９Ｂに沿って移動可能とされている。
【００４７】
また、本体の刃物収納部に市販の折る刃式カッターナイフや替え刃方式の繰り出し式ナイフの全体をそのまま嵌め込んで利用することも可能である。
【００４８】
(ii) 作業場所の制約などの理由から、押さえローラ１０Ａ，１０Ｂや推進補助ローラ１１Ａ，１１Ｂを用いないで、作業することも可能である。その場合には、安定した作業ができるように、図７〜図９に示すように、ローラ１０Ａ，１０Ｂ，１１Ａ，１１Ｂが設けられていた部位まで延びるガイド４’を用いることことが望ましい。つまり、本体３の長手方向全体に沿ってガイド４‘が設けられている。また、本体の長さが短くなる場合には、逆に、ガイドを省略し、押さえローラ１０Ａ，１０Ｂにガイド機能を持たせることもできる。
【００４９】
(iii)前述した実施の形態では、下敷き部を有する構成としているが、本発明はそれに限定されるものではなく、下敷き部を省略することも可能である。その場合には、刃物として、先端部分がフック形状で、フック内側部分のみが切り刃部分２Ｂａａ，２Ｂｂａとなっているフック刃２Ｂａ，２Ｂｂを用い、前記フックの内側部分が上側になるように本体に取り付けられる。このようなフック刃２Ｂａ，２Ｂｂであれば、床面側の防水シート１０２に当たるフック外側部分は切り刃部分となっていないので、フック刃２Ｂａ，２Ｂｂによって防水シート１０２が傷つけられることはないからである。具体的には、前述した場合と同様に、１つ又は２つのフック刃（替え刃）を交換可能に設けることができるほか、図４〜図６に示す本体３Ａと同様に、例えば図１０〜図１２に示すように、左右の本体要素を結合して内部に刃物収納部３Ｂｃ．３Ｂｄが傾斜して，交叉するように形成される本体３Ｂを用い、その刃物収納部３Ｂｃ，３Ｂｄ内にフック刃２Ｂａ，２Ｂｂを、長穴９Ａ，９Ｂに沿って移動するピン８Ａ，８Ｂによってスライド可能に移動できるように設けることもできる。
【００５０】
図１０〜図１２に示す構造では、ローラ１０Ａ，１０Ｂ，１１Ａ，１１Ｂによって、本体３Ｂの下方に、縦壁面側の防水シート１０４の下端縁を相対移動させるための空間部Ｓが形成されるので、空間部Ｓ内に、フック刃２Ｂａ，２Ｂｂの、先端の切り刃部分２Ｂａａ，２Ｂｂａが位置しているようにすればよい。この場合も、いずれの方向でも裁断することができ、右利きの人でも左利きの人でも、スムーズに裁断できる。ローラ１０Ａ，１０Ｂ，１１Ａ，１１Ｂを用いない場合には、本体に前記空間部を形成する凸部を下方に突出するように設ける構造にすれば、同様の効果が発揮される。
【００５１】
また、フック刃を利用した市販の折る刃式カッターナイフや、替え刃方式の繰り出し式ナイフの全体をそのまま嵌め込んで利用することができる。その場合は、裁断時に、刃物（市販の折る刃式カッターナイフや替え刃方式の繰り出し式ナイフ）の、先端の切り刃部分が、前記本体の下方に前記防水シートの端縁を裁断可能なるように突出させる必要がある。
【００５２】
(iv)作業者が立った状態のまま作業ができるように、図１３や図１４に示すように、本体３に、上方に延びる握り棒１２Ａ，１２Ｂを取り外し可能に設けるようにしてもよい。その場合、握り棒１２Ａ，１２Ｂの下端部を本体に、周知の取付手段（例えばねじ止め、嵌め込み）によって取り付けることで、簡単に取り外し可能とすることができる。また、握り棒１２Ａ，１２Ｂの長さを、スライド筒構造などの周知の長さ可変構造を利用して、作業者の身長に合わせて調整できるようにすることも可能である。
【００５３】
(v)前記実施の形態では、建物の屋上の縦壁面と床面との間のコーナー部（角部）において防水シート１０１，１０４をラップさせて敷設する場合について説明しているが、屋上の縦壁部おけるコーナー部（縦壁面と縦壁面との間のコーナー部）において防水シートをラップさせて敷設する場合にも適用することができるのはいうまでもない。また、床面１０１上の防水シート１０２は、図１５に示すように、縦壁部１０３（パラペット）の上向き上縦壁面には塩ビ鋼板１０５を介して防水シート１０４が接合される場合があるが、その場合には、図７〜図９に示すカッターを用い、それのガイド４を、縦壁部上側の外側角部（塩ビ鋼板１０５）に押し当て移動させることで、防水シートの上縁を、縦壁部の外側面より例えば１０ｍｍ内側になるような長さに裁断して、塩ビ鋼板１０５の表面塩化ビ層を損傷することなく、塩ビ鋼板上に接合することも可能である。
【符号の説明】
【００５４】
１  ラップジョイントカッター
２  丸刃（刃物）
２Ａａ，２Ａｂ  平刃
２Ｂａ，２Ｂｂ  フック刃
２Ａａａ，２Ａｂａ，２Ｂａａ，２Ｂｂａ  切り刃部分
３，３Ａ，３Ｂ  本体
３Ａｃ，３Ａｄ，３Ｂｃ．３Ｂｄ  刃物収納部
３ａ  下側部分
３ｂ  上側部分
３ｃ  貫通穴
４，４’  ガイド
４ａ  鉛直部
４ｂ  水平部
５  下敷き
５ａ  下敷き要素
７  取付板
８Ａ，８Ｂ  ピン
９Ａ，９Ｂ  ガイド穴
１０Ａ，１０Ｂ  押さえローラ
１０Ａａ，１０Ｂａ  回転軸
１１Ａ，１１Ｂ  推進補助ローラ
１１Ａａ，１１Ｂａ  回転軸
１２Ａ，１２Ｂ  握り棒
Ｓ，Ｓ１，Ｓ２  空間部
【図１】
2019060206.tif 000003
【図２】
2019060206.tif 000004
【図３】
2019060206.tif 000005
【図４】
2019060206.tif 000006
【図５】
2019060206.tif 000007
【図６】
2019060206.tif 000008
【図７】
2019060206.tif 000009
【図８】
2019060206.tif 000010
【図９】
2019060206.tif 000011
【図１０】
2019060206.tif 000012
【図１１】
2019060206.tif 000013
【図１２】
2019060206.tif 000014
【図１３】
2019060206.tif 000015
【図１４】
2019060206.tif 000016
【図１５】
2019060206.tif 000017